(57)【特許請求の範囲】
【請求項１】
携帯電話のディスプレイに接着する目的の携帯電話用ディスプレイカバーであって、前記ディスプレイカバーは、可視性を有する透明保護フィルム（１）を含み、接着剤は、前記保護フィルム（１）の一方の面に施され、前記接着剤は、前記一方の面の全体を覆い、
さらに、前記保護フィルム（１）は、他の面において衝撃吸収材料の保護フレーム（１３）を担持し、前記保護フレーム（１３）は、前記保護フィルム（１）でディスプレイウィンドウ（５）を画定し、前記保護フレーム（１３）は、前記保護フィルム（２）に対して隆起していることを特徴とする携帯電話用ディスプレイカバー。
【請求項２】
携帯電話のディスプレイに接着する目的の携帯電話用ディスプレイカバーの製造方法であって、前記ディスプレイカバーは、可視性を有する透明の保護フィルム（１）を含み、接着剤が前記保護フィルム（１）の一方の面に施され、
さらに、前記可視性を有する透明の保護フィルム（１）の他の面で、接着コーティングと非接着コーティングとは、前記フィルム（１）の異なる領域に施され、液状で硬化可能な材料が接着コーティングを有する前記領域に施され、硬化した状態の前記硬化可能な材料は、衝撃吸収し且つ前記領域に隆起した保護フレーム（１３）を形成し、前記硬化可能な材料は、強く硬化されることを特徴とする携帯電話用ディスプレイカバーの製造方法。
【発明の詳細な説明】
【０００１】
発明の技術分野
本発明は、デバイスに使用される携帯電話等のディスプレイカバーに関する。また、本発明は、本発明のディスプレイカバーの製造方法にも関する。
【０００２】
従来技術
携帯電話の配達時において、一般には携帯電話のディスプレイカバーに取付けられる保護フィルムが提供されている。この保護フィルムは、永久に使用するものではなく、輸送段階での保護を目的としたものであり、この保護フィルムは、携帯電話を使い始めたときに除去することができる。すなわち、携帯電話のディスプレイは携帯電話を使い始めたら保護されないこととなる。また、携帯電話を使い始めたときに保護フィルムを除去する必要はないが、保護フィルムの材料又はディスプレイに対する接着性は、永久に使用できる程、高品質なものではない。通常、前記保護フィルムは透明であり、携帯電話をある程度使用すると引っかき傷や磨耗等の損傷が生じる。この損傷により次第にディスプレイに表示される情報の認識が困難になってくる。また、保護フィルムは、まず保護フィルムの角部分が剥がれ始め、最終的にはディスプレイから完全に剥がれることになる。
【０００３】
これに関して、通常、ディスプレイの材料自体が引っかき傷や他の磨耗に対して特に耐久性を有さないということではなく、ある程度使用した後でもディスプレイに表示された情報の認識自体には何ら問題がない。
【０００４】
発明の目的及び特徴
本発明の第一の目的は、ディスプレイを引っかき傷や他の磨耗から保護するとともにディスプレイとディスプレイを備えた器具の隣接領域とを衝撃から保護することである。
【０００５】
さらに本発明のディスプレイカバーの目的は、ディスプレイカバーの少なくとも一部が、ある程度自己復元できることである。
【０００６】
少なくとも本発明の第一の目的は、特許請求の範囲の独立請求項で画定される特徴が与えられたディスプレイカバーを用いて達成される。
本発明の好ましい実施形態は、前記独立請求項で画定される。
尚、本発明のディスプレイカバーの実施形態は、以下に記載され、添付図面が参照される。
【０００７】
本発明のディスプレイカバーの好ましい実施形態の詳細な説明
図１から明らかにされるように、本発明のディスプレイカバーの製造は、材料を傷に強く衝撃を吸収する材料にする追加の可塑剤を有するＰＶＣ材料の保護フィルム１のシートのカッティングから開始される。保護フィルム１は、比較的厚く、０．２〜０．５ｍｍの間の適当な厚さである。このＰＶＣ材料に基本的に必要な条件は、可視性が非常に高く、傷や衝撃にも非常に強い。また、以下に示すように、保護フィルム１は通常、社章その他の情報等のプリンティング（印刷）に必要とされるので、前記ＰＶＣ材料がスクリーンプリンティング（スクリーン印刷）に適する場合が好ましい。保護フィルム１用の適当な商業上利用できるＰＶＣ材料が登録商標クリアシールドであることが判明している。
【０００８】
切り抜かれたシートは、プリンティングに対して一次材料に内部応力が生じないようにされる、すなわち予め収縮される。図２に示されるように、接着コーティング３は、本発明のディスプレイカバーのフレーム９を構成することになる保護フィルム１の一部に施される、すなわちスクリーンプリンティングされる。図２に拡大して詳細に示されるように、幅の狭い区切フレーム６としての非接着コーティングは、本発明のディスプレイカバーのディスプレイウィンドウ５を構成することになる部分に施される、すなわちスクリーンプリンティングされる。前記区切フレーム６は、ディスプレイウィンドウ５の全周囲に延び、その幅は約１ミリメートルが適当である。以下に示すように、接着コーティングを施すことにより、接着コーティングが施されたフレーム９等のＰＶＣ材料の一部が、最後に施されるポリウレタンに対し良好な接着強度を有することが保証される。本発明のディスプレイカバーにスクリーンプリンティング、すなわち社章としてプリンティングを施す必要がある場合には、そのスクリーンプリンティングは、保護フィルム１の適当な部分に施され、図１０で完成状態のディスプレイカバーが示される。前記スクリーンプリンティングは、接着コーティングで処理された保護フィルム１の部分に位置される。
【０００９】
図で示されるように、保護フィルム１のシートは、適当な形状に打ち抜かれ、余分な材料は除去される。これにより、本発明のディスプレイカバー用のブランク（素材板）７が作られ、このブランク７は、非接着コーティングの区切フレーム６を備えたディスプレイウィンドウ５と、接着コーティングで処理された周囲フレーム９とを有する。図４ａと４ｂとで、このようなブランク７が開示されている。
【００１０】
図５ａと５ｂとでは、ノズル１１を通してポリウレタン（樹脂）１０が液状でブランク７に使用される方法が示されている。構成要素は、前記ノズル１１を通して混合され送られる。液状で使用されるポリウレタン１０の量は、コーティングされ、そのコーティングがブランク７に施される表面より調節される。図５ａと５ｂとの矢印１２により示されたように、液状で使用されるポリウレタン１０は、接着コーティングで処理されたフレーム９上に塗り拡げられるであろう。非接着コーティングの区切フレーム６は、ポリウレタン１０がディスプレイウィンドウ５に塗り拡げられないようにする。
【００１１】
ポリウレタン１０の使用が停止されたときに、図６ａと６ｂとに示すように、液状で使用されるポリウレタン１０は、表面張力により隆起した保護フィルム１３の形状となる。ポリウレタン１０は、接着コーティングで処理され且つディスプレイウィンドウ５の周囲すなわちフレーム９に配置されるブランク７の一部で集約され、その部分に付着される。図６ｂの矢印１４は、ポリウレタン１０が、ポリウレタン１０の供給領域に収縮され、平らにされる様子を示している。このように液状で使用されるポリウレタン１０は、図７ａと７ｂとに示すように、ディスプレイウィンドウ５の周囲のブランク７に、隆起された保護フレーム１３を作る。
【００１２】
従って、保護フレーム１３の形状をなす供給されたポリウレタン１０を用いて、ブランク７は、適当な温度で適当な時間硬化される。通常、ポリウレタン１０から成る保護フィルム１３は、２４〜４８時間かけて発熱チャンバーの中で強く硬化される。これによって、ポリウレタン１０は、保護フィルム１に分子結合される。
【００１３】
図８と９とでは、本発明の完成状態のディスプレイカバーを拡大して示している。特に、図９からは、保護フレーム１３が保護フィルム１に使用され且つディスプレイウィンドウ５の周囲で隆起を形成することが理解される。前記区切フレーム６は通常、透明であり且つポリウレタン１０が硬化された後には何の機能も果たさないので、区切フレーム６がディスプレイウィンドウ５から取外されていないにもかかわらず、前記区切フレーム６は図８と９とで表されていない。
【００１４】
ポリウレタンの隆起された保護フレーム１３は、上述した通り、衝撃吸収し且つ一部は表面の損傷に対し自己復元する特性を有する。保護フィルムとフレームとの両者が衝撃吸収することにより、本発明のディスプレイカバーは、保護フィルムとフレームとが互いに重なる領域で非常に衝撃吸収性が高い。保護フィルム１３は、１．５〜３ミリメートルの厚みを有することが好ましい。
【００１５】
図１０で示すように上述の方法で製造されたディスプレイカバーは、携帯電話等に装着されるように準備される。保護フィルム１から打ち抜かれることに関し、ブランク７は、ディスプレイカバーが装着される対象に適合する寸法が与えられる。例示の携帯電話の場合では、一定商標の特定形態に適合するように製造される。現状の取付けでは、接着剤でなされることが好ましく、貼り合わせ用接着剤が適当であることが判明しており、前記貼り合わせ用接着剤は、２００ＭＰシリーズから３Ｍにより販売され、高い透明性を有する接着剤と共に使用されている。貼り合わせ用接着剤は、携帯電話又は他のディスプレイを有する装置に接着されるディスプレイカバー側に粘着層をなして使用される。貼り合わせ用接着剤は、ディスプレイカバー側の垂れ下がった部分の全体に使用される。搬送中の保護として箔や紙のシートが粘着層に使用されても良く、前記箔や紙のシートはディスプレイカバーの装着の際に取外される。明瞭にするために、本発明のディスプレイカバーが使用される前に上述の従来技術において記載された仮の保護フィルムは取外されることを指摘しておく。
【００１６】
この場合において、ディスプレイカバーが装着されるディスプレイが傷又は他の損傷をした場合に、貼り合わせ用接着剤が前記ディスプレイに復元効果も与えることが挙げられる。すなわち、貼り合わせ用接着剤が前記傷に充填され、ディスプレイウィンドウ５を通して見ることができる表面が再び明瞭にされる。
【００１７】
また、本発明のディスプレイカバーは、通常、光を屈折の影響があり、この結果、ディスプレイを通して見える表示が少々拡大される。これにより、前記表示の認識が容易になる。
【００１８】
図１０から明白なように、前記図に開示されたディスプレイカバーは、前記ディスプレイカバーの頂部に社章等が付けられる。好ましくは、図５ａと５ｂに示すように、前記社章は、ポリウレタンが使用される前に保護フィルム１にスクリーンプリンティングされる。このような場合に、ポリウレタンは透明である。すなわち、社章はポリウレタンの保護フレーム１３を通して見ることができる。
【００１９】
実施可能な発明の変形例
これに関連して、上述の本発明のディスプレイカバーを製造する方法は、好ましい例だけを構成しているものであることを明示する。このように本発明の範囲内で、別個のユニットとしてポリウレタンのフレームを製造し、従って、適当な接着剤を用いて前記フレームと保護フィルムとを結合することが可能である。
【００２０】
ディスプレイカバーの一部であるポリウレタンの隆起したフレームは、着色材料で製造されても非着色材料で製造されても良い。さらにまた、前記フレームは、当該器具に適したポリウレタンと異なる材料で製造されても良い。
【００２１】
上述の実施形態では、文字や対象が保護フィルムにスクリーンプリンティングされることが述べられてきた。本発明の範囲内で、オフセットプリンティング及び／又はエンボシング等のスクリーンプリンティングと異なる他の印刷技術を使用することもできる。
【００２２】
上述された貼り合わせ用接着剤を使用する代りに、他の接着剤が、例えば、携帯電話にディスプレイカバーを装着するために使用されても良い。また、本発明の範囲内で、ディスプレイカバーの装着に関してユーザーが自分自身で接着剤やにかわを使用することもできる。
【００２３】
上述された本発明のディスプレイカバーの実施形態は、携帯電話用ディスプレイカバーに関する。しかしながら、本発明の範囲内で、他のディスプレイカバー用の取付具の分野においても実施可能であり、例示の非制限的な目的の範囲においてディスプレイを有する腕時計等の器具にも実施可能である。
【図面の簡単な説明】
【図１】  ディスプレイカバー保護フィルムの第一材料のシートのカッティングの斜視図である。
【図２】  接着コーティングが一定の領域に施されたシートのカッティングの斜視図であり、その領域の一部が大きく示されている。
【図３】  ディスプレイカバー用ブランクからカッティングがされた状態の斜視図であり、そのブランクが大きく示されている。
【図４ａ】  図３のブランクの斜視図である。
【図４ｂ】  図３のブランクの平面図である。
【図５ａ】  材料の打ち抜きがブランクにされたときに、固められた状態で前記材料は衝撃吸収される図３のブランクの斜視図である。
【図５ｂ】  材料の打ち抜きがブランクにされたときに、固められた状態で前記材料は衝撃吸収される図３のブランクの平面図である。
【図６ａ】  固められた状態で衝撃吸収性を有する材料がディスプレイカバーのフレーム上で拡げられる方法を示した斜視図であり、前記フレームは接着コーティングがされている。
【図６ｂ】  固められた状態で衝撃吸収性を有する材料がディスプレイカバーのフレーム上で拡げられる方法を示した平面図であり、前記フレームは接着コーティングがされている。
【図７ａ】  固くする準備状態の本発明のディスプレイカバー用ブランクの斜視図である。
【図７ｂ】  固くする準備状態の本発明のディスプレイカバー用ブランクの平面図である。
【図８】  本発明の完成状態、すなわち固められた状態で衝撃吸収性を有する材料がディスプレイウィンドウの周りにフレームを形成するディスプレイカバーの拡大平面図である。
【図９】  図８のＡ−Ａに沿った断面図である。
【図１０】  携帯電話の平面図であり、本発明のディスプレイカバーはその携帯電話に装着される。
【図１】
0004543126.tif 000002
【図２】
0004543126.tif 000003
【図３】
0004543126.tif 000004
【図４ａ】
0004543126.tif 000005
【図４ｂ】
0004543126.tif 000006
【図５ａ】
0004543126.tif 000007
【図５ｂ】
0004543126.tif 000008
【図６ａ】
0004543126.tif 000009
【図６ｂ】
0004543126.tif 000010
【図７ａ】
0004543126.tif 000011
【図７ｂ】
0004543126.tif 000012
【図８】
0004543126.tif 000013
【図９】
0004543126.tif 000014
【図１０】
0004543126.tif 000015